(57)【要約】【課題】トイレを使用する場合は、トイレを確実に閉鎖することができ、一方、トイレを使用しない場合には、トイレの窓からの光を廊下に通して廊下を明るくすることができる、トイレの出入口に設置されるトイレ用二重引き戸を提供する。【解決手段】トイレの出入口に設置されるトイレ用二重引き戸であって、一方の引き戸１と、一方の引き戸１と平行に設けられた他方の引き戸２と、一方の引き戸１と他方の引き戸２との間に設けられた壁板３とからなり、一方の引き戸１と他方の引き戸２とは、壁板３に対して開閉自在であり、一方の引き戸１は、他方の引き戸２に比べて採光性に優れ、一方の引き戸１は、廊下側に面し、他方の引き戸２は、トイレ側に面している。【選択図】図３
2009074328.tif 000002
【特許請求の範囲】
【請求項１】
トイレの出入口に設置されるトイレ用二重引き戸であって、一方の引き戸と、前記一方の引き戸と平行に設けられた他方の引き戸と、前記一方の引き戸と前記他方の引き戸との間に設けられた壁板とからなり、前記一方の引き戸と前記他方の引き戸とは、前記壁板に対して開閉自在であり、前記一方の引き戸は、前記他方の引き戸に比べて採光性に優れ、前記一方の引き戸は、廊下側に面し、前記他方の引き戸は、トイレ側に面していることを特徴とするトイレ用二重引き戸。
【請求項２】
前記一方の引き戸、前記他方の引き戸および前記壁板は、ユニット化されていることを特徴とする、請求項１記載のトイレ用二重引き戸。
【発明の詳細な説明】
【技術分野】
【０００１】
この発明は、二重引き戸、特に、トイレを使用する場合は、トイレを確実に閉鎖することができ、一方、トイレを使用しない場合には、トイレの窓からの光を廊下に通して廊下を明るく照らすことができる、トイレの出入口に設置されるトイレ用二重引き戸に関するものである。
【背景技術】
【０００２】
二重引き戸としては、例えば、特開平１０−３１７８２４号公報（特許文献１）に開示されるものがある。
【０００３】
図４に示すように、この従来二重引き戸８は、襖９と障子１０とによって構成され、この二重引き戸８を部屋１１の出入り口に設置して、部屋１１の居住者の状況によって襖９と障子１０とを使い分けて使用するものである。
【０００４】
例えば、部屋１１の居住者がプライバーを余り気にしない状況であり、部屋１１への訪問を許す場合には、障子１０のみを閉めておく。これにより、他の居住者は部屋１１への出入りが許されている状態であると判断でき、気兼ねなく部屋１１へ出入りすることができる。また、障子１０のみを閉めた場合には、光を障子１０を通じて取り込むことができるため、部屋１１への採光を確保することができる。
【０００５】
一方、部屋１１の居住者がプライバーを確保したい状況であり、部屋１１への訪問を許さない場合には、障子１０と襖９の両方もしくは襖９のみを閉めておく。これにより、他の居住者は、部屋１１への出入りが許されていない状態であると判断でき、部屋１１への訪問を自粛することで、居住者のプライバシーが確保できる。
【０００６】
また、障子１０と襖９との両方を閉めておくことにより、上述した居住者のプライバシーが確保できると共に、防音効果や空調の効率の向上を図ることができる。
【０００７】
【特許文献１】特開平１０−３１７８２４号公報
【発明の開示】
【発明が解決しようとする課題】
【０００８】
上述した従来二重引き戸によれば、部屋の居住者の状況によって、遮蔽性に優れた引き戸としての襖と採光性に優れた引き戸としての障子とを使い分けて使用することによって、上記のような効果がもたらされるが、従来二重引き戸は、通常の部屋の出入口に設置されるものであって、トイレの出入口に設置するものではない。
【０００９】
すなわち、通常、トイレの扉は、めくらの扉か、あるいは、窓があっても、それは、人の有無を外部から確認するためのもので小窓であるので、採光性が極めて悪かった。しかも、トイレのドアは、使用している場合も使用していない場合も、閉じておくのが通常であるので、トイレの窓からの光により廊下が明るく照らされることはほとんどなかった。
【００１０】
従って、この発明の目的は、トイレを使用する場合は、トイレを確実に閉鎖することができ、一方、トイレを使用しない場合には、トイレの窓からの光を廊下に通して廊下を明るく照らすことができる、トイレの出入口に設置されるトイレ用二重引き戸を提供することにある。
【課題を解決するための手段】
【００１１】
この発明は、上記目的を達成するためになされたものであって、下記を特徴とするものである。
【００１２】
請求項１記載の発明は、トイレの出入口に設置されるトイレ用二重引き戸であって、一方の引き戸と、前記一方の引き戸と平行に設けられた他方の引き戸と、前記一方の引き戸と前記他方の引き戸との間に設けられた壁板とからなり、前記一方の引き戸と前記他方の引き戸とは、前記壁板に対して開閉自在であり、前記一方の引き戸は、前記他方の引き戸に比べて採光性に優れ、前記一方の引き戸は、廊下側に面し、前記他方の引き戸は、トイレ側に面していることに特徴を有するものである。
【００１３】
請求項２記載の発明は、請求項１記載の発明において、前記一方の引き戸、前記他方の引き戸および前記壁板は、ユニット化されていることに特徴を有するものである。
【発明の効果】
【００１４】
この発明によれば、トイレを使用する場合は、トイレを確実に閉鎖することができ、一方、トイレを使用しない場合には、トイレの窓からの光を廊下に通して廊下を明るくすることができる。
【発明を実施するための最良の形態】
【００１５】
この発明のトイレ用二重引き戸の一実施態様を、図面を参照しながら説明する。
【００１６】
図１は、この発明のトイレ用二重引き戸を示す正面図、図２は、この発明のトイレ用二重引き戸を示す背面図、図３は、一方および他方の引き戸を壁板側に移動させたときの図１のＡ−Ａ線部分断面図である。
【００１７】
図１から図３において、１は、一方の引き戸、２は、一方の引き戸１と平行に設けられた他方の引き戸、３は、一方の引き戸１と他方の引き戸２との間に設けられた壁板である。一方の引き戸１および他方の引き戸２は、図３に示すように、鴨居４と敷居５間を、敷居５のレール５Ａに沿って車輪６を介して、壁板３に対して自在に開閉する。一方の引き戸１、他方の引き戸２、壁板３、鴨居４、敷居５、および、鴨居４および敷居５を一部とする矩形状の枠体７は、アルミニウム等によってユニット化されている。
【００１８】
一方の引き戸１は、他方の引き戸２に比べて採光性に優れている。すなわち、一方の引き戸１は、図１に示すように、上半部が透光性を有するガラスで下半部がめくら板からなる扉から構成されている。上半部のガラスを透明ガラスとした場合、下半部をめくら板とすることによって、トイレ内が丸見えになることを防ぐことができる。曇りガラスとした場合には、このような心配がなくなるので、この場合には、全面を曇りガラスとしても良い。他方の引き戸２は、通常のトイレの扉と同様に、図２に示すように、上部に小窓２Ａが形成されためくら扉から構成されている。
【００１９】
上述した、この発明のトイレ用二重引き戸をトイレの出入口に設置するには、採光性に優れた一方の引き戸１を廊下側に面するようにし、他方の引き戸２をトイレ側に面するように設置する。そして、トイレ使用時には、他方の引き戸２のみを閉め、トイレ不使用時には、他方の引き戸２を開き、一方の引き戸１を閉じる。
【００２０】
このように、トイレ使用時、不使用時に応じて、一方の引き戸１と他方の引き戸２とを選択して開閉することによって、トイレ不使用時において、トイレの窓からの光は、めくら扉である他方の引き戸２によってさえぎられること無く、採光性に優れた一方の引き戸１を通して廊下に行き渡る。従って、廊下は、トイレの窓からの光によって明るく照らされる。一方の引き戸１は、下半部がめくら板から構成されているか、あるいは、曇りガラスによって構成されているので、他方の引き戸２が開かれていてもトイレ内が丸見えになることはない。
【００２１】
以上のように、この発明のトイレ用二重引き戸によれば、トイレを使用する場合は、トイレを確実に閉鎖することができ、一方、トイレを使用しない場合には、トイレの窓からの光を廊下に通して廊下を明るくすることができる結果、廊下の照明を無くすか、あるいは、軽減することができ、省エネに寄与する。
【図面の簡単な説明】
【００２２】
【図１】この発明のトイレ用二重引き戸を示す正面図である。
【図２】この発明のトイレ用二重引き戸を示す背面図である。
【図３】一方および他方の引き戸を壁板側に移動させたときの図１のＡ−Ａ線部分断面図である。
【図４】従来二重引き戸の設置態様を示す概略斜視図である。
【符号の説明】
【００２３】
１：一方の引き戸
２：他方の引き戸
２Ａ：小窓
３：壁体
４：鴨居
５：敷居
５Ａ：レール
６：車輪
７：枠体
８：従来二重引き戸
９：襖
１０：障子
１１：部屋
【図１】
2009074328.tif 000003
【図２】
2009074328.tif 000004
【図３】
2009074328.tif 000005
【図４】
2009074328.tif 000006